(57)【特許請求の範囲】
【請求項１】
円錐台形の筒状をなす内筒と円錐台形の筒状の拡大開口端外周縁にフランジを設けた外筒の少なくとも２個に分割され、前記外筒の下端に前記内筒の上端を係止可能に設けた整流筒（熱遮蔽筒）の前記外筒および前記内筒を共にチャンバの上方に退避させた状態で、ルツボ内に原料を充填し、
前記原料を加熱溶解させ、
前記外筒および前記内筒を下降させて、前記外筒の下端に前記内筒の上端を係止させることにより、半導体単結晶引上げ領域を同心円上に包囲し、
前記ルツボ内の溶融原料から半導体単結晶を引き上げる、
ことを特徴とする半導体単結晶の製造方法。
【請求項２】
シードチャックに嵌着可能にされたダミーシードと、このダミーシードの下端にケーブルにより揺動自在に吊止された複数個のフックとから構成され、各々のフックに、分割された整流筒の下端を各々所定の位置で係止する少なくとも２か所の整流筒係止部を設けた整流筒装着用治具により、外筒の下端に内筒の上端を係止可能に分割された整流筒（熱遮蔽筒）の前記外筒及び前記内筒を前記整流筒係止部に係止させた状態で、前記外筒および前記内筒を共にチャンバの上方に退避させ、
ルツボ内に原料を充填し、
前記原料を加熱溶解させ、
前記外筒および前記内筒を下降させて、前記外筒の下端に前記内筒の上端を係止させることにより、半導体単結晶引上げ領域を同心円上に包囲し、
前記ルツボ内の溶融原料から半導体単結晶を引き上げる、
ことを特徴とする半導体単結晶の製造方法。
【請求項３】
外筒と内筒の係止手段が外筒の下端内周縁に形成されたフランジと、内筒の上端外周縁に形成されたフランジであることを特徴とする請求項１または２に記載の半導体単結晶の製造方法。
【請求項４】
少なくとも２個の外筒及び内筒に分割され、半導体の単結晶引上装置内で半導体単結晶引上げ領域を同心円上に包囲するための整流筒（熱遮蔽筒）を、単結晶引上装置内に装着させる装置用治具であって、シードチャックに嵌着可能にされたダミーシードと、このダミーシードの下端にケーブルにより揺動自在に吊止された複数個のフックとから構成し、各々のフックに、前記外筒及び前記内筒のそれぞれの下端を所定の位置で係止するための外筒用整流筒係止部と内筒用整流筒係止部の少なくとも２か所の整流筒係止部を設けたことを特徴とする整流筒の装着用治具。
【発明の詳細な説明】
【０００１】
【発明が属する技術分野】
本発明は、ＣＺ法によるシリコン単結晶引上装置に装着され、シリコン単結晶の大量チャージ及び最適な溶解を得るために使用される整流筒及びその装着用治具に関するものである。
【０００２】
【従来の技術】
従来より、シリコン単結晶の引上げ装置において、単結晶の引上げ速度を速くすると共に、不純物による汚染を防止して単結晶の無転位化を向上させる手段として、引上げる単結晶を同心円上に包囲する整流筒（熱遮蔽筒）を設置することが知られている。
しかしながら、この整流筒を設置したままでは、ルツボ内に単結晶の原料であるポリ結晶を充填する際、この整流筒が邪魔になるため、整流筒を設置しない場合と比べて原料の充填量が少なくなり生産性が悪化するという問題があった。そこで、
（１）．整流筒を分割して整流筒の一部を持ち上げて原料を充填する方法（例えば、特開平６−１４４９８６号、図６参照）や、
（２）．整流筒を分割して一方の整流筒を持ち上げることで他方の整流筒も持ち上げて原料を充填する方法（例えば、特開平７−２６７７７７号、図７参照）等が提案されている。
【０００３】
【発明が解決しようとする課題】
しかしながら、上記(1) の方法では充填量は増加できるがルツボ位置を上げられないため溶解状況が悪化する。また、上記(2) の方法ではルツボ位置は上昇できるが、整流筒全体をヒーター上部まで持ち上げてしまうため、溶解電力が上昇したり、石英劣化で単結晶化が阻害されたり、整流筒同士の摩擦でルツボ内の溶融液に不純物が混入するおそれがあった。
本発明は、従来技術の上記問題点に鑑みてなされたものであり、分割された整流筒を装着する際に、整流筒同士の摩擦を無くして溶融液への不純物の混入を防止すると共に、単結晶化率を向上することができ、また、整流筒自信の設計の自由度を増すことができる整流筒及びその装着用治具を提供することを目的とするものである。
【０００４】
【課題を解決するための手段】
このため本発明では、半導体の単結晶引上装置内で半導体単結晶を同心円上に包囲して装着される整流筒（熱遮蔽筒）において、該整流筒を少なくとも２個の外筒及び内筒に分割すると共に、前記外筒の下端に前記内筒の上端を係止可能に設けたものである。
【０００５】
外筒と内筒の具体的な係止方法は、例えば外筒の下端内周縁に形成されたフランジに、内筒の上端外周縁に形成されたフランジを係止することにより行う。また、外筒あるいは内筒を下方に向かって漸次幅狭に形成（本実施例では逆円錐台形状に）することにより、外筒と内筒とが接触しにくくなる。
【０００６】
本発明に係る整流筒の単結晶引上装置への装着は、整流筒の外筒及び内筒の下端をそれぞれ所定の位置で保持する少なくとも２カ所の整流筒係止部を形成した複数のフックを持ち、該複数のフックを放射状に拡張及び収縮可能に保持する整流筒の装着用治具により行い、一個の装着用治具で複数の整流筒を同時に保持するようにした。
【０００７】
整流筒の装着用治具は、具体的にはシードチャックに嵌着可能にされたダミーシードと、このダミーシードの下端に耐熱性ケーブルにより揺動自在に吊止され、整流筒の下端を係止する耐熱金属あるいはセラミックス製の複数個の鉤状のフックとから構成し、各フックに、分割された整流筒の下端をそれぞれ所定の位置で係止する少なくとも２か所の凹所あるいは突起を形成する。
【０００８】
【発明の実施の形態】
以下、図面に示す実施例に基づいて本発明の実施の形態を説明する。
図１は単結晶引上装置に整流筒を装着する前の状態を示す説明図、図２は本発明に係る整流筒の装着用治具の斜視図、図３は本発明に係る整流筒を吊り下げた状態を示す一部拡大断面図、図４及び図５は整流筒の装着状態を示す説明図、図６及び図７は従来技術を使用した単結晶引上装置の内部断面図である。
【０００９】
図１は半導体単結晶製造装置及びこれに整流筒を装着する前の状態を説明するための半導体単結晶引上装置の内部を示す断面図である。
メインチャンバー（図示せず）内に設置された黒鉛ルツボ２には石英ルツボ３が嵌着され、この石英ルツボ３内に原料であるポリ結晶を充填して溶解する。
図中、５、６及び７は単結晶の引き上げ速度を早めると共に、不純物による汚染を防止して単結晶の無転位化を向上させる目的で、単結晶の引き上げ領域において単結晶を同心円上に包囲して装着される整流筒（熱遮断筒）であり、本装置では、保護筒１上に載置される略円柱形状の第３の整流筒７と、この第３の整流筒７に係止される半径の異なる逆円錐台形状の第１の整流筒５及び第２の整流筒６の３つに分割されている。そして、第２の整流筒（外筒）６の上端外周縁に形成されたフランジ６ａを第３の整流筒７の段差部７ａに係止させ、第２の整流筒（外筒）６の下端内周縁に形成されたフランジ６ｂに、第１の整流筒（内筒）５の上端外周縁に形成されたフランジ５ａを係止することにより順次装着できるようにされている。また、このように整流筒を分割する際に、ヒーター上部のみを覆う第３の整流筒７を分割して設け、他の２つの整流筒を持ち上げても残留するようにしておけば、溶解電力を低くでき溶解時間を短縮することができる。尚、８はルツボ軸、９はヒーター、１０は保温筒である。
【００１０】
メインチャンバーの上部に設けられたシードチャック（図示せず）には種子結晶の代わりに整流筒の装着用治具11が装着されている。この装着用治具11は、図２に示すように、シードチャックに嵌着される耐熱金属であるモリブデン合金製あるいはセラミックス製のダミーシード11ａと、このダミーシード11ａの下端に耐熱金属であるタングステン製のワイヤーケーブル11ｂにより連結された止め具11ｃに、同じく３本のタングステン製のワイヤーケーブル11d により３個のモリブデン合金製あるいはセラミックス製の鉤状フック11ｅが取付けられている。これらのフック11ｅには、前述した第１の整流筒５及び第２の整流筒６の下端をそれぞれ係止する２箇所の凹所Ａ及びＢが形成されている。これにより、図３に示すように、第１の整流筒５及び第２の整流筒６はメインチャンバー内に吊り下げられる。
【００１１】
図１に示した状態においては、石英ルツボ３上端と整流筒５下端との間に十分な隙間を確保することができるので、石英ルツボ３にポリ結晶４を充填する際、その充填量を減らすことなく容易に所定量を充填することができる。石英ルツボ３にポリ結晶４を充填した後、ヒーター９によりポリ結晶４を加熱、溶解する。ポリ結晶４がほぼ溶解した時点で、ルツボ軸８を駆動して石英ルツボ３を下降させ、これに伴ってシードチャックも徐々に下降させる。そして整流筒６の上端外周に設けられたフランジ６ａが、図４に示すように整流筒７の段差７ａに係止される。そしてシードチャックを更に下降させると、整流筒６の下端からフック11ｅが外れる。さらに図５に示すように、シードチャックを更に下降させると、整流筒５の上端フランジ５ａが整流筒６の下端フランジ６ｂに係止されると共に、整流筒５の下端からフック11ｅが外れるので、この時点でシードチャックの下降を停止し、装着用治具11を上昇させる。すなわち、シードチャックの下降により整流筒５の下端から外れたフック11ｅは、止め具11ｃの直下付近に収束されるので、整流筒５の中空部を通り抜けて上昇させ取り外すことができる。尚、下降した石英ルツボ３はもとの位置まで上昇させる。
このような引き上げ単結晶の周囲を包囲する整流筒５、６及び７の装着により、単結晶の引き上げ時には、融液面やヒーター９から単結晶に加えられる輻射熱が遮断され、単結晶引き上げ速度を早めることができるとともに、不純物による汚染を防止して単結晶の無転位化を向上させることができる。
【００１２】
【発明の効果】
本発明は以上のように構成したので、以下のような優れた効果がある。
（１）．分割された整流筒を一つの吊り治具にて同時に吊るすことができるものの、整流筒はそれぞれ独立して係止されているので、装着が容易であり且つ装着する際に整流筒同士が摩擦することがなく溶融液への不純物の混入が防止できる。
（２）．複数の整流筒を分離した状態で装着できるので、整流筒の分割位置が限定されることなく整流筒自身の設計の自由度を増すことができる。
（３）．ヒーター上部のみを覆う第３の整流筒を分割して設け、他の２つの整流筒を持ち上げても残留するようにしたので、溶解電力を低くでき溶解時間を短縮することができる。
【図面の簡単な説明】
【図１】単結晶引上装置に整流筒を装着する前の状態を示す説明図である。
【図２】本発明に係る整流筒の装着用治具の斜視図である。
【図３】本発明に係る整流筒を吊り下げた状態を示す一部拡大断面図である。
【図４】整流筒の装着状態を示す説明図である。
【図５】整流筒の装着状態を示す説明図である。
【図６】従来技術を使用した単結晶引上装置の内部断面図である。
【図７】従来技術を使用した単結晶引上装置の内部断面図である。
【符号の説明】
１    保護筒
２    黒鉛ルツボ
３    石英ルツボ
４    ポリ結晶溶融液
５    第１の整流筒（内筒）
５ａ  フランジ（上端外周縁）
６    第２の整流筒（外筒）
６ａ  フランジ（上端外周縁）
６ｂ  フランジ（下端内周縁）
７    第３の整流筒
８    ルツボ軸
９    ヒーター
１０  保護筒
１１  整流筒装着治具
１１ａ  ダミーシード
１１ｂ  ワイヤーケーブル
１１ｃ  止め具
１１ｄ  ワイヤーケーブル
１１ｅ  フック
Ａ    凹所（整流筒５の係止部）
Ｂ    凹所（整流筒６の係止部）
【図１】
0003913309.tif 000002
【図２】
0003913309.tif 000003
【図３】
0003913309.tif 000004
【図４】
0003913309.tif 000005
【図５】
0003913309.tif 000006
【図６】
0003913309.tif 000007
【図７】
0003913309.tif 000008